【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
補正条件に基づき画像データに対して画像処理を行う画像処理手段と、
前記画像処理が行われた前記画像データに基づいて、感光部材を露光する露光手段と、
記録媒体を給送する給紙手段と、
前記感光部材上に形成された画像を、前記給紙手段から供給された前記記録媒体に転写する転写手段と、
前記記録媒体上の前記画像を定着する定着手段と、
前記露光手段および前記転写手段を制御して、前記記録媒体上に、それぞれ第１方向に延びる第１線画と第２線画とを有するテスト画像を形成させる制御手段と、
ユーザによる前記第１線画の長さ情報および前記第２線画の長さ情報の入力が可能である操作部と、
前記ユーザから入力される前記第１線画の長さ情報および前記第２線画の長さ情報に基づき前記補正条件を設定する設定手段とを有し、
前記第１線画および前記第２線画は、前記記録媒体上における、前記記録媒体の搬送方向に対応する前記第１方向と直交する第２方向において異なる位置に形成され、
前記画像処理手段は、前記画像処理が行われる画像データの前記第２方向における位置に基づき、前記補正条件を用いて前記画像処理が行われる画像データに対して前記画像処理を実行することを特徴とする、
画像形成装置。
【請求項２】
前記設定手段は、前記第１線画の変動量および前記第２線画の変動量から前記補正条件を設定し、
前記変動量は、前記第１線画の長さ情報および前記第２線画の長さ情報から算出されことを特徴とする、
請求項１に記載の画像形成装置。
【請求項３】
前記設定手段は、前記画像を形成する際の画像解像度に基づいて、前記変動量を求めることを特徴とする、
請求項２に記載の画像形成装置。
【請求項４】
前記画像処理手段は、前記画像データに対し、前記補正条件に基づき画像の歪みを補正するための画像処理を行うことを特徴とする、
請求項１、２又は３に記載の画像形成装置。
【請求項５】
前記第１および第２線画は、前記第２方向における前記感光部材の中心位置を基準にして左右対称となる異なる位置からそれぞれ前記第１方向に延びる線画として形成されることを特徴とする、
請求項１乃至４いずれか一項に記載の画像形成装置。
【請求項６】
予めそれぞれが所定の長さを有する線画として、前記第１および第２線画それぞれを格納する格納手段をさらに有することを特徴とする、
請求項１乃至５いずれか一項に記載の画像形成装置。
【請求項７】
前記設定手段は、前記テスト画像が形成された記録媒体のサイズと異なるサイズの記録媒体に前記画像を形成する場合、当該異なるサイズの記録媒体に対応する補正条件を設定することを特徴とする、
請求項１乃至６いずれか一項に記載の画像形成装置。
【請求項８】
補正条件に基づき画像データに画像処理を行う画像処理手段と、
前記画像処理が行われた画像データに基づいて感光部材を露光する露光手段と、
記録媒体を給送する給紙手段と、
前記感光部材上に形成された画像を、前記給紙手段から供給された前記記録媒体に転写する転写手段と、
前記記録媒体上の前記画像を定着する定着手段と、
前記露光手段および前記転写手段を制御して、前記記録媒体上に、前記記録媒体の搬送方向である第１方向にそれぞれ延びる第１線画及び第２線画と、第３線画と、を有するテスト画像を形成させる制御手段と、
ユーザによる前記第１線画、前記第２線画および前記第３線画の長さ情報の入力が可能である操作部と、
前記ユーザから入力される前記第１線画、前記第２線画および前記第３線画の前記長さ情報に基づき前記補正条件を設定する設定手段とを有し、
前記第１線画および前記第２線画は、前記記録媒体における、前記第１方向と直交する第２方向において異なる位置に形成され、
前記第３線画は前記第１線画および前記第２線画の間の距離を表す線分であり、
前記画像処理手段は、前記画像処理が行われる画像データの前記第２方向における位置に基づき、前記補正条件を用いて前記画像処理が行われる画像データに対して前記画像処理を実行することを特徴とする、
画像形成装置。
【請求項９】
前記設定手段は、前記第３線画の中心位置における前記第１方向の長さの変動量がゼロであるとし、前記第１線画の長さ情報および前記第２線画の長さ情報に基づき得られた当該第１線画の長さと当該第２線画の長さそれぞれの変動量から、前記補正条件を設定することを特徴とする、
請求項８に記載の画像形成装置。
【手続補正２】
【補正対象書類名】明細書
【補正対象項目名】００１１
【補正方法】変更
【補正の内容】
【００１１】
本発明の画像形成装置は、補正条件に基づき画像データに対して画像処理を行う画像処理手段と、前記画像処理が行われた前記画像データに基づいて、感光部材を露光する露光手段と、記録媒体を給送する給紙手段と、前記感光部材上に形成された画像を、前記給紙手段から供給された前記記録媒体に転写する転写手段と、前記記録媒体上の前記画像を定着する定着手段と、前記露光手段および前記転写手段を制御して、前記記録媒体上に、それぞれ第１方向に延びる第１線画と第２線画とを有するテスト画像を形成させる制御手段と、ユーザによる前記第１線画の長さ情報および前記第２線画の長さ情報の入力が可能である操作部と、前記ユーザから入力される前記第１線画の長さ情報および前記第２線画の長さ情報に基づき前記補正条件を設定する設定手段とを有し、前記第１線画および前記第２線画は、前記記録媒体上における、前記記録媒体の搬送方向に対応する前記第１方向と直交する第２方向において異なる位置に形成され、前記画像処理手段は、前記画像処理が行われる画像データの前記第２方向における位置に基づき、前記補正条件を用いて前記画像処理が行われる画像データに対して前記画像処理を実行することを特徴とする。
【手続補正３】
【補正対象書類名】明細書
【補正対象項目名】００４７
【補正方法】変更
【補正の内容】
【００４７】
図１４は、本実施形態における、補正シード値の入力を受け付けるための扇補正シード値入力画面を示す図である。扇補正シード値入力モードのとき、ホストコンピュータ１の表示部３には、図１４に示すような扇補正シード値入力画面Ｙが表示される。
扇補正シード値入力画面Ｙにおいて、ユーザは、左側の辺の長さを入力する「入力ボックスｄ」には、辺２０４ａの長さ「ｄ」の値を入力する。右側の辺の長さを入力する「入力ボックスｅ」には、辺２０４ｂの長さ「ｅ」の値を入力する。左右の辺の間隔を入力する「入力ボックスｆ」には、辺２０４ｃの長さ「ｆ」の値を入力する。ユーザにより入力された各値は、それぞれ扇補正シード値として扇補正シード値保持部５７へ格納される。
【手続補正４】
【補正対象書類名】明細書
【補正対象項目名】００４８
【補正方法】変更
【補正の内容】
【００４８】
なお、扇補正シード値入力画面Ｙの正面から見て右側に表示されている模式図では、左辺の長さｄが、右辺の長さｅよりも大きいものとして示されている。これは、ユーザの操作入力の便宜を図るための例示であり、場合によっては測定された左辺の長さｄが、右辺の長さｅよりも小さいこともある。また、本実施形態の説明においては、ユーザが扇補正シード値を入力するとしている。別例として、プリント後の図１３（ｂ）に示す画像の３つの辺の長さをセンサ類で検知して、この検知結果を扇補正シード値として自動入力する構成を採用することもできる。
【手続補正５】
【補正対象書類名】図面
【補正対象項目名】図４
【補正方法】変更
【補正の内容】
【図４】
2015201674.tif 000001
【手続補正６】
【補正対象書類名】図面
【補正対象項目名】図１４
【補正方法】変更
【補正の内容】
【図１４】
2015201674.tif 000002